(57)【要約】【課題】  通信状況等に応じて適切な通信設定を行うことが可能なプロジェクター等を提供すること。【解決手段】  プロジェクター１００が、第１のＳＳＩＤの指定を受け付ける受付部１９２と、第１のＳＳＩＤと一致するＳＳＩＤを有するデータが、アクセスポイントに関するスキャンリストデータ１４２にあるか判定する第１の判定を行う第１の判定部１６０と、第１の判定の判定結果が真である場合、スキャンリストデータ１４２に基づき、第１のＳＳＩＤと一致するＳＳＩＤを有するアクセスポイントに対する信号強度が良好であり、かつ、当該アクセスポイントが高スループット対応であるか判定する第２の判定を行う第２の判定部１６２と、第２の判定の判定結果が真である場合、無線通信部１２０に対して通信速度重視の設定を行い、第２の判定の判定結果が偽である場合、無線通信部１２０に対して安定性重視の設定を行う設定部１５０を含んで構成される。【選択図】  図２
2011249958.tif 000002
【特許請求の範囲】
【請求項１】
アクセスポイントと無線通信を行う無線通信部と、
第１のＳＳＩＤの指定を受け付ける受付部と、
前記第１のＳＳＩＤと一致するＳＳＩＤを有するデータが、前記アクセスポイントに関するスキャンリストデータにあるかどうかを判定する第１の判定を行う第１の判定部と、
前記第１の判定の判定結果が真である場合、前記スキャンリストデータに基づき、前記第１のＳＳＩＤと一致するＳＳＩＤを有する前記アクセスポイントに対する信号強度が良好であり、かつ、当該アクセスポイントが高スループット対応であるかどうかを判定する第２の判定を行う第２の判定部と、
前記第２の判定の判定結果が真である場合、前記無線通信部に対して通信速度重視の設定を行い、前記第２の判定の判定結果が偽である場合、前記無線通信部に対して安定性重視の設定を行う設定部と、
を含むプロジェクター。
【請求項２】
請求項１に記載のプロジェクターにおいて、
前記スキャンリストデータを更新する更新部を含み、
前記無線通信部は、通信待機時にパッシブスキャンを実行し、
前記更新部は、前記パッシブスキャンの結果に基づき、前記スキャンリストデータを更新する、
プロジェクター。
【請求項３】
請求項２に記載のプロジェクターにおいて、
前記無線通信部は、前記第１のＳＳＩＤを指定したブロードキャスト通信を行い、
前記更新部は、前記ブロードキャスト通信の結果に基づき、前記スキャンリストデータを更新する、
プロジェクター。
【請求項４】
請求項１〜３のいずれかに記載のプロジェクターにおいて、
前記アクセスポイントと接続された状態で、他のプロジェクターと協働して画像を投写する投写部を含むプロジェクター。
【請求項５】
アクセスポイントと無線通信を行うプロジェクターにおける通信方法において、
前記プロジェクターは、
第１のＳＳＩＤの指定を受け付け、
前記第１のＳＳＩＤと一致するＳＳＩＤを有するデータが、前記アクセスポイントに関するスキャンリストデータにあるかどうかを判定する第１の判定を行い、
前記第１の判定の判定結果が真である場合、前記スキャンリストデータに基づき、前記第１のＳＳＩＤと一致するＳＳＩＤを有する前記アクセスポイントに対する信号強度が良好であり、かつ、当該アクセスポイントが高スループット対応であるかどうかを判定する第２の判定を行い、
前記第２の判定の判定結果が真である場合、前記無線通信部に対して通信速度重視の設定を行い、
前記第２の判定の判定結果が偽である場合、前記無線通信部に対して安定性重視の設定を行う、
通信方法。
【発明の詳細な説明】
【技術分野】
【０００１】
本発明は、プロジェクターおよび通信方法に関する。
【背景技術】
【０００２】
例えば、特開２００７−１６５９７７号公報に記載されているように、インフラストラクチャーモードでアクセスポイントに接続することによって無線通信を行うプロジェクターが提案されている。例えば、プロジェクターが、２．４ＧＨｚ帯におけるＩＥＥＥ８０２．１１ｎを利用したデータ通信を行う場合、レガシーデバイス（ＩＥＥＥ８０２．１１ｂ、ＩＥＥＥ８０２．１１ｇ等）の有無に応じて、通信速度重視（高スループット）の設定を行うか、安定性重視（ロバストネス）の設定を行うかの選択を行う必要がある。
【先行技術文献】
【特許文献】
【０００３】
【特許文献１】特開２００７−１６５９７７号公報
【発明の概要】
【発明が解決しようとする課題】
【０００４】
しかし、プロジェクターが、通信速度重視の設定を行うと安定性が低下してしまい、安定性重視の設定を行うと通信速度が低下してしまうため、通信状況等に応じて両者を適切に設定することが必要とされている。
【０００５】
本発明にかかるいくつかの態様は、上記課題を解決することにより、通信状況等に応じて適切な通信設定を行うことが可能なプロジェクターおよび通信方法を提供するものである。
【課題を解決するための手段】
【０００６】
本発明の態様の１つであるプロジェクターは、アクセスポイントと無線通信を行う無線通信部と、第１のＳＳＩＤ（Service Set Identifier）の指定を受け付ける受付部と、前記第１のＳＳＩＤと一致するＳＳＩＤを有するデータが、前記アクセスポイントに関するスキャンリストデータにあるかどうかを判定する第１の判定を行う第１の判定部と、前記第１の判定の判定結果が真である場合、前記スキャンリストデータに基づき、前記第１のＳＳＩＤと一致するＳＳＩＤを有する前記アクセスポイントに対する信号強度が良好であり、かつ、当該アクセスポイントが高スループット対応であるかどうかを判定する第２の判定を行う第２の判定部と、前記第２の判定の判定結果が真である場合、前記無線通信部に対して通信速度重視の設定を行い、前記第２の判定の判定結果が偽である場合、前記無線通信部に対して安定性重視の設定を行う設定部と、を含むことを特徴とする。
【０００７】
また、本発明の態様の１つである通信方法は、アクセスポイントと無線通信を行うプロジェクターにおける通信方法において、前記プロジェクターは、第１のＳＳＩＤの指定を受け付け、前記第１のＳＳＩＤと一致するＳＳＩＤを有するデータが、前記アクセスポイントに関するスキャンリストデータにあるかどうかを判定する第１の判定を行い、前記第１の判定の判定結果が真である場合、前記スキャンリストデータに基づき、前記第１のＳＳＩＤと一致するＳＳＩＤを有する前記アクセスポイントに対する信号強度が良好であり、かつ、当該アクセスポイントが高スループット対応であるかどうかを判定する第２の判定を行い、前記第２の判定の判定結果が真である場合、前記無線通信部に対して通信速度重視の設定を行い、前記第２の判定の判定結果が偽である場合、前記無線通信部に対して安定性重視の設定を行うことを特徴とする。
【０００８】
本発明によれば、プロジェクターは、指定された第１のＳＳＩＤと一致するＳＳＩＤを有するアクセスポイントが検出された場合、信号強度が良好であり、かつ、検出されたアクセスポイントが高スループット対応であるとき、通信速度を重視した設定を行うので、高いビットレートで無線通信することができる。また、プロジェクターは、信号強度が高スループットの通信に適していないとき、または、検出されたアクセスポイントが高スループットに対応していないときは、安定性重視の設定を行うことにより、ロバスト性に優れた無線通信が可能となる。このように、プロジェクターは、通信状況等に応じて適切な通信設定を行うことができる。
【０００９】
また、前記プロジェクターは、前記スキャンリストデータを更新する更新部を含み、前記無線通信部は、通信待機時にパッシブスキャンを実行し、前記更新部は、前記パッシブスキャンの結果に基づき、前記スキャンリストデータを更新してもよい。これによれば、プロジェクターは、最新の通信状況をスキャンリストデータに反映することができるため、通信状況等に応じて適切な通信設定を行うことができる。
【００１０】
また、前記無線通信部は、前記第１のＳＳＩＤを指定したブロードキャスト通信を行い、前記更新部は、前記ブロードキャスト通信の結果に基づき、前記スキャンリストデータを更新してもよい。これによれば、プロジェクターは、ＳＳＩＤを指定したブロードキャスト通信を行うことにより、ＳＳＩＤを指定しないブロードキャスト通信を行う場合と比べ、より迅速に所望のアクセスポイントに接続することができる。
【００１１】
また、前記プロジェクターは、前記アクセスポイントと接続された状態で、他のプロジェクターと協働して画像を投写する投写部を含んでもよい。これによれば、プロジェクターは、他のプロジェクターと協働して画像を投写することができる。
【図面の簡単な説明】
【００１２】
【図１】第１の実施例における通信状況を示す図である。
【図２】第１の実施例におけるプロジェクターの機能ブロック図である。
【図３】第１の実施例における無線通信手順を示すフローチャートである。
【図４】第１の実施例におけるＯＢＳＳ環境ではないときの通信速度の変化の一例を示す図である。
【図５】第１の実施例におけるＯＢＳＳ環境であるときの通信速度の変化の一例を示す図である。
【図６】第１の実施例におけるレガシーデバイスが存在しないときの安定性重視設定での通信速度の変化の一例を示す図である。
【図７】第１の実施例におけるレガシーデバイスが存在しないときの通信速度重視設定での通信速度の変化の一例を示す図である。
【図８】第２の実施例における通信状況を示す図である。
【発明を実施するための形態】
【００１３】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１４】
（第１の実施例）
図１は、第１の実施例における通信状況を示す図である。プロジェクター１００は、着脱可能な無線通信装置１１０がプロジェクター１００のＵＳＢ（Universal Serial Bus）スロットに差し込まれた状態で、インフラストラクチャーモードでアクセスポイント３００に無線で接続する。また、ＰＣ（Personal Computer）２００も同様にアクセスポイント３００に無線で接続する。プロジェクター１００は、ＰＣ２００からの画像情報に基づき、スクリーン１０に画像２０を投写する。
【００１５】
なお、実際には、ＰＣ２００、アクセスポイント３００以外にも複数の無線通信可能な装置が存在している。プロジェクター１００は、通信状況等に応じて通信設定を変更する機能を有している。また、本実施例では、プロジェクター１００は、ＩＥＥＥ８０２．１１（例えば、ＩＥＥＥ８０２．１１ｎ、ＩＥＥＥ８０２．１１ｂ、ＩＥＥＥ８０２．１１ｇ等）の仕様に従って動作するものとする。
【００１６】
図２は、第１の実施例におけるプロジェクター１００の機能ブロック図である。プロジェクター１００は、無線通信装置１１０と、ＵＳＢインターフェイス部１７２と、画像２０を投写する投写部１９０と、ユーザーの指示を受け付ける受付部１９２を含んで構成されている。また、無線通信装置１１０は、無線通信部１２０と、スキャンリストデータ１４２、ネットワーク設定データ１４４等を記憶する記憶部１４０と、スキャンリストデータ１４２等を更新する更新部１３０と、無線通信部１２０に対する通信設定を行う設定部１５０と、第１の判定部１６０と、第２の判定部１６２と、ＵＳＢインターフェイス部１７０を含んで構成されている。なお、スキャンリストデータ１４２は、アクセスポイントに関する情報を示すデータであり、ネットワーク設定データ１４４は、プロジェクター１００における通信方式等を示すデータである。
【００１７】
また、プロジェクター１００は、以下のハードウェアを用いてこれらの各部として機能してもよい。例えば、プロジェクター１００は、無線通信部１２０は無線通信ユニット等、更新部１３０、設定部１５０、第１の判定部１６０、第２の判定部１６２はＣＰＵ等、記憶部１４０は不揮発性メモリー等、ＵＳＢインターフェイス部１７０、１７２はＵＳＢインターフェイス等、受付部１９２は受光ユニット、操作ボタン等、投写部１９０は画像処理回路、ランプ、液晶パネル、液晶駆動回路、レンズ等を用いてもよい。
【００１８】
次に、本実施例における無線通信手順について説明する。図３は、第１の実施例における無線通信手順を示すフローチャートである。例えば、ユーザーは、投写部１９０によって投写されたネットワーク設定画像で設定を行い、更新部１３０は、受付部１９２からの情報に基づき、当該設定に応じてネットワーク設定データ１４４を更新する。また、ネットワーク設定画像が投写された状態で、設定完了の指示があった場合、無線通信部１２０は、設定部１５０による設定に応じて、ユーザーが設定した第１のＳＳＩＤを指定したブロードキャスト通信を行い、更新部１３０は、当該ブロードキャスト通信の結果に基づき、スキャンリストデータ１４２を更新する（ステップＳ１）。
【００１９】
第１の判定部１６０は、第１のＳＳＩＤと一致するＳＳＩＤを有するデータが、スキャンリストデータ１４２にあるかどうかを判定する第１の判定を行う（ステップＳ２）。第２の判定部１６２は、第１の判定の判定結果が真である場合、すなわち、第１のＳＳＩＤと一致するＳＳＩＤを有するデータが、スキャンリストデータ１４２にある場合、スキャンリストデータ１４２に基づき、第１のＳＳＩＤと一致するＳＳＩＤを有するアクセスポイントに対する信号強度が良好であり、かつ、当該アクセスポイントがＨＴ  ＩＥ（High Throughput Information Element）対応であるかどうかを判定する第２の判定を行う（ステップＳ３）。なお、無線通信部１２０によって受信されるビーコン信号等には、信号強度を示すデータ、ＨＴ  ＩＥ（高スループット、例えば、ＩＥＥＥ８０２．１１ｎ）対応であるかどうかを示すデータが含まれる。
【００２０】
設定部１５０は、第２の判定の判定結果が真である場合、無線通信部１２０に対して通信速度重視の設定を行い（ステップＳ４）、第２の判定の判定結果が偽である場合、すなわち、第１のＳＳＩＤと一致するＳＳＩＤを有するアクセスポイントに対する信号強度が良好であり、かつ、当該アクセスポイントがＨＴ  ＩＥ対応である場合、無線通信部１２０に対して安定性重視の設定を行う（ステップＳ５）。なお、通信速度重視の設定としては、例えば、バンド幅を４０Ｍｈｚに設定すること、Short Guard Interval機能を有効に設定すること等が該当し、安定性重視の設定としては、例えば、プロテクション機能を有効に設定すること、時空間ブロック符号化を有効に設定すること等が該当する。
【００２１】
無線通信部１２０は、設定部１５０による設定が行われた状態で接続処理を実行する（ステップＳ６）。第２の判定部１６２（または第１の判定部１６０）は、無線通信部１２０からの情報に基づき、接続に成功したかどうかを判定する（ステップＳ７）。接続に成功した場合、第２の判定部１６２（または第１の判定部１６０）は、無線通信部１２０からの情報に基づき、無線通信部１２０が通信中かどうかを判定する（ステップＳ８）。通信中の場合、プロジェクター１００は、一連の接続処理を終了する。一方、通信中でない場合、すなわち、通信待機時である場合、無線通信部１２０は、パッシブスキャンを実行し、更新部１３０は、パッシブスキャンの実行結果に基づき、スキャンリストデータ１４２を更新する（ステップＳ９）。
【００２２】
ここで、本発明者による本発明の実行結果について説明する。図４は、第１の実施例におけるＯＢＳＳ環境ではないときの通信速度の変化の一例を示す図である。また、図５は、第１の実施例におけるＯＢＳＳ環境であるときの通信速度の変化の一例を示す図である。また、図６は、第１の実施例におけるレガシーデバイスが存在しないときの安定性重視設定での通信速度の変化の一例を示す図である。また、図７は、第１の実施例におけるレガシーデバイスが存在しないときの通信速度重視設定での通信速度の変化の一例を示す図である。例えば、ＯＢＳＳ（Overlapping Basic Service Set）の環境（ＳＳＩＤが一致するが、ＢＳＳＩＤ（Basic Service Set Identifier）が異なる複数のネットワークがある環境）でない場合、図４の細い線で表されるＩＥＥＥ８０２．１１ｎ対応のプロジェクターも、図４の太い線で表されるＩＥＥＥ８０２．１１ｇ対応のプロジェクターも、同一周波数の帯域を占有するため、通信速度は、それぞれが本来発揮できる通信速度よりも低い値になっている。また、例えば、ＯＢＳＳの環境である場合、図５の細い線で表されるＩＥＥＥ８０２．１１ｎ対応のプロジェクターも、図５の太い線で表されるＩＥＥＥ８０２．１１ｇ対応のプロジェクターも、規格上定められたプロテクションメカニズムによって、通信速度は、ほぼ同じ値になっている。また、通信対象にレガシーデバイス（例えば、ＩＥＥＥ８０２．１１ｇ対応の通信装置等）が存在しない場合、図６および図７に示すように、安定性重視設定を行うよりも通信速度重視設定を行ったほうが、通信速度が高速になっている。
【００２３】
以上のように、本実施例によれば、プロジェクター１００は、信号強度とアクセスポイント３００が高スループット対応であるかどうかを判定することにより、通信状況等に応じて適切な通信設定を行うことができ、効率的に無線通信を行うことができる。また、本実施例によれば、プロジェクター１００は、通信待機時にパッシブスキャンを実行することにより、最新の通信状況をスキャンリストデータ１４２に反映することができるため、通信状況等に応じて適切な通信設定を行うことができる。さらに、本実施例によれば、プロジェクター１００は、ＳＳＩＤを指定したブロードキャスト通信を行うことにより、ＳＳＩＤを指定しないブロードキャスト通信を行う場合と比べ、より迅速に所望のアクセスポイント３００に接続することができる。
【００２４】
（第２の実施例）
無線通信装置１１０の機能をプロジェクターに内蔵してもよく、複数のプロジェクターが協働して画像を投写してもよい。図８は、第２の実施例における通信状況を示す図である。ここでは、２台のプロジェクター１００−１、１００−２が、それぞれ、アクセスポイント３００を介してＰＣ２００と無線で通信を行い、ＰＣ２００からの画像情報に基づき、スクリーン１０に画像２１、２２を並べて投写する。
【００２５】
本実施例によっても、プロジェクター１００は、第１の実施例と同様の作用効果を奏する。また、本実施例によれば、プロジェクター１００−１は、インフラストラクチャーモードで、他のプロジェクター１００−２と協働して画像を投写することができる。プロジェクター１００−１および他のプロジェクター１００−２は、アクセスポイント３００からのビーコン信号の受信をトリガーとして、互いの処理を同期させることができる。また、プロジェクター１００−１および他のプロジェクター１００−２は、いずれか一方が発信するビーコン信号を他方に受信させることによって、互いの処理を同期させることができる。いずれの方法によっても、プロジェクター１００−１と他のプロジェクター１００−２とを同期させることが可能である。
【００２６】
（その他の実施例）
なお、本発明の適用は上述した実施例に限定されず、変形が可能である。例えば、第２の実施例におけるプロジェクター１００の台数は２台に限定されず、３台以上であってもよい。また、無線通信装置１１０を実装可能な装置は、プロジェクター１００に限定されず、例えば、プリンター、複合機等に無線通信装置１１０が接続されて使用されてもよい。また、プロジェクター１００の本体と無線通信装置１１０で入出力を行う入出力部は、ＵＳＢインターフェイスに限定されず、例えば、ＩＥＥＥ１３９４等の他の入出力部であってもよい。また、上述したステップＳ９では、無線通信部１２０は、パッシブスキャンを実行しているが、アクティブスキャンを実行してもよい。
【００２７】
また、プロジェクター１００の有するコンピューターは、情報記憶媒体に記憶されたプログラムを読み取って第１の判定部１６０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００２８】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりにＬＥＤ等の固体光源を含んでもよい。また、プロジェクター１００の機能を複数の装置（例えば、ＰＣとプロジェクター等）に分散してもよい。
【符号の説明】
【００２９】
１０  スクリーン、２０〜２２  画像、１００  プロジェクター、１１０  無線通信装置、１２０  無線通信部、１３０  更新部、１４０  記憶部、１４２  スキャンリストデータ、１４４  ネットワーク設定データ、１５０  設定部、１６０  第１の判定部、１６２  第２の判定部、１７０  ＵＳＢインターフェイス部、１７２  ＵＳＢインターフェイス部、１９０  投写部、１９２  受付部、２００  ＰＣ、３００  アクセスポイント
【図１】
2011249958.tif 000003
【図２】
2011249958.tif 000004
【図３】
2011249958.tif 000005
【図８】
2011249958.tif 000006
【図４】
2011249958.tif 000007
【図５】
2011249958.tif 000008
【図６】
2011249958.tif 000009
【図７】
2011249958.tif 000010